(57)【要約】      （修正有）【課題】会議や懇談会、サークル活動で自己紹介する時に、聾唖者、中途失聴者、中途難聴者などが、言葉で自己紹介する場合や合コンや自己紹介の時間にあまり時間が割けないときなどに、みんな同じ時間で自己紹介が出来るようにするときに使用する自己紹介カードを提供する。【解決手段】Ｂ−５〜Ａ３サイズ程度の多少厚めの用紙に、本人の名前や年齢、趣味、得意な事などのさまざまな事項を印刷掲載してなることを特徴とし、その事項の余白欄に、本人が手書きで記入できるようにし、また、その自己紹介カードには２箇所の紐通し穴を貫通し、その穴に紐を通し、首から吊り下げたり、マジックテープや両面テープで胸元に貼付し、会議やサークルなどで自己紹介のときに使用する。【選択図】図１
0003121777.tif 000002
【実用新案登録請求の範囲】
【請求項１】
Ｂ−５〜Ａ３サイズ程度の多少厚めの用紙に、あらかじめ、名前や年齢、趣味、得意な事などのさまざまな事項を印刷掲載してなることを特徴とし、その事項の余白欄に、本人が手書きができるようにした、会議やサークルなどで自己紹介のときに使用することを目的とする自己紹介用カード。
【請求項２】
Ｂ−５〜Ａ−３サイズ程度の多少厚めの用紙に、２箇所の紐通し穴３を貫通し、その紐通し穴３に、紐２を通し、首から吊り下げるようにした請求項１の自己紹介カード。
【請求項３】
カードの裏面に、自己紹介をするときに胸部に貼り付けるための両面テープまたはマジックテープなどを貼着した請求項１の自己紹介カード。
【請求項４】
カードの台紙の形は円を含む多角形および花、果物、動物、乗り物、雲、国、県の形などを型どった請求項１の自己紹介カード。
【請求項５】
カードの材質は、紙に限らず、ビニール、アクリル板、その他の合成樹脂板、木板、金属板、アルミ板を使用した請求項１の自己紹介カード。
【請求項６】
聾唖障害者や視覚障害者及び難聴者又は中途失聴者、中途難聴者の方々が会議や懇親会などで自己紹介のために使用する点字用自己紹介カード。
【考案の詳細な説明】
【技術分野】
【０００１】  会議や懇談会、サークル活動のときに自己紹介することがある。その時に聾唖者、中途失聴者、中途難聴者などの人は、言葉で自己紹介するのは苦手である。そんな場面や今流行の合コンや自己紹介の時間にあまり時間が割けないときなどに、みんな同じ時間で自己紹介が出来るようにするときに使用する自己紹介カードに関するものである。
【背景技術】
【０００２】  従来、自己紹介用のカードと言えば、名刺サイズの印画紙もしくは名刺サイズの画像印刷が可能なカード紙に、本人の氏名、顔写真、使用目的に必要な履歴、及び得意な事項を掲載してなるＰＲ兼用自己紹介カード（特願平１０−６０９１９）や三つ折り出来る長方形紙片の中央部分に、氏名と住所、電話番号、通学先・勤務先、電話番号およびメッセージ記入欄を設けるとともに、該メッセージ記入欄の上下位置に写真挟み込み用切り込みを形成し、左右見開き紙片の右側には、宛先記入欄、自己主張欄、日付欄を印刷し、左側には、メモ欄、自己紹介欄などを設けた自己紹介カード（実用新案登録第３０４０１９８号など）があった。
【特許文献１】特願平１０−６０９１９
【特許文献２】実用新案登録第３０４０１９８号
【考案の開示】
【考案が解決しようとする課題】
【０００３】  従来の自己紹介カードは、背景技術にも記載したように、名刺サイズや左右見開きの紙片に文字を記載し、自己ＰＲカードなどに使用する目的のカードであった。
従って、会議やサークルなどで本当に自分の自己紹介のために使用する目的のものではないので、本考案の自己紹介カードと使用目的が異なる。
本考案の自己紹介カードは、サイズも先行技術のカードより大きく、最低でもＢ−５サイズ以上のさまざまな形の用紙にさまざまな項目欄を設け、その項目に各自または主催者が記載して、参加者全員に見えるようなカードを提供する。【０００４】  また、聴覚に障害のある人（中途失聴者、中途難聴者）などのサークル活動やグループ活動などの自己紹介などのときには、手話などで自己紹介をしていたが、（中途失聴者、中途難聴者の中には手話が習得できず、筆談をする人も多い）本考案の自己紹介カードには、点字のスペースも設け、聾唖障害者にも使用できるカードを提供する。
【課題を解決するための手段】
【０００５】  技術分野にも記載したように、本考案の自己紹介カードは、会議やサークル活動などのときに使用するカードのため、カードのサイズも先行文献に記載したカードより大きく、多少厚手の用紙に各項目をあらかじめ印刷したカードとする。【０００６】  また、各障害者の自己紹介用カードには、点字で記載できるスペースを設けるとともに、カードには、紐を取り付け、首から吊り下げられるようなカードとする。【０００７】  紐で首から吊りさげるだけでなく、カードの裏面にマジックテープや両面テープを貼付したり、クリップを取り付けて、胸に取り付けてもよい。
【考案の効果】
【０００８】  本考案の自己紹介カードを使用することにより、個々人の自己紹介の時間をある程度同一時間に合わせられる効果があり、主催者の時間管理及び運営がやりやすくなる。【０００９】  本考案の自己紹介カードを使用することにより、人前での自己紹介が苦手な人でも、スムースに自己紹介ができる。【００１０】  本考案の点字記載自己紹介カードを使用することにより、聴覚に障害のある人のサークル活動やグループ活動などのときでも、点字による自己紹介などができ、また、自己紹介後も胸元にクリップで吊り下げたり、首から本考案の点字記載自己紹介カードを吊り下げていることにより、名前の確認などができ、聾唖障害者には、とっても有用である。【００１１】  こもりがちになる障害者にとっては、コミュニケーションの第一歩の体験や自己開示の第一歩となる。
【考案を実施するための最良の形態】
【００１２】  本考案の自己紹介カードを図面によって説明する。
図１，図２は、本考案の自己紹介カードである。カードに記載する文字やデザイン、イラストなどは、その集会に適したデザイン、イラストなどを描写する。
本考案のカードのサイズは、Ｂ−５〜Ａ−３程度のサイズとし、カードの厚みはやや厚みのある用紙を使用する。【００１３】  印刷された自己紹介カードに紐通し穴３を２箇所貫通し、その紐通し穴３に紐２を通す。
この場合、紐の長さは、調節できるようにする。【００１４】  本考案のカードに印刷する文字又はデザイン、イラストなどは、バリエーションによってさまざまな文字、又はデザイン、イラストなどを印刷するものとする。
【実施例１】
【００１５】  また、言語障害者や全盲又は弱視障害者の方々の集まりなどの自己紹介カードとしては、点字用の自己紹介カードを作成して対応する。【００１６】  紐で首から吊りさげるかわりに、カードの裏面にマジックテープや両面テープを使用してもよい。【００１７】  また、用紙の形も長方形に限らず、円を含む多角形、または花の形や動物の形などさまざまな形もバリエーションによって使用すると有用である。【００１８】  また、本考案のカードに使用する材質は、紙質に限らず、ビニール、アクリル板、その他の合成樹脂板、木板、金属板、アルミ板を使用してもよい。
【図面の簡単な説明】
【００１９】
【図１】自己紹介カードの見本１の図
【図２】自己紹介カードの見本２の図
【図３】点字用自己紹介カード見本
【図４】自己紹介カードを参集者の胸元に下げた図  また、テーブルの上には、点字用の自己紹介カードも
【図５】言語障害者の自己紹介の図
【符号の説明】
【００２０】    １．自己紹介カード見本１
２．紐
３．紐通し穴
４．点字用自己紹介カード
【図１】
0003121777.tif 000003
【図２】
0003121777.tif 000004
【図３】
0003121777.tif 000005
【図４】
0003121777.tif 000006
【図５】
0003121777.tif 000007
【図６】
0003121777.tif 000008
【手続補正書】
【提出日】平成17年11月1日(2005.11.1)
【手続補正１】
【補正対象書類名】手続補正書
【補正対象項目名】手続補正４
【補正方法】変更
【補正の内容】
【手続補正４】
【補正対象書類名】明細書
【補正対象項目名】００１９
【補正方法】変更
【補正の内容】
【００１９】
【図１】自己紹介カードの見本１の図
【図２】自己紹介カードの見本２の図
【図３】点字用自己紹介カード見本
【図４】自己紹介カードを参集者の胸元に下げた図また、テーブルの上には、点字用の自己紹介カードも
【図５】言語障害者の自己紹介の図
【図６】障害者同志の自己紹介の図